(57)【要約】【課題】洗面化粧台といった水槽付き家具が建築壁に固定されたままの状態であっても、建築壁を損傷させることなく、容易に水栓装置を取り付けることができる水槽付き家具への水栓装置の取り付け方法を提供することにある。【解決手段】水槽付き家具へ水栓装置４０を取り付ける際に、給水配管４２ｃ及び給湯配管４２ｈに治具５０を取り付け、治具５０を取り付けた給水配管４２ｃ及び給湯配管４２ｈを立壁１１に形成された貫通孔１４に挿入し、挿入された治具５０の引き込み部５２をカウンター１０の下側から操作する。【選択図】図４
2015063829.tif 000002
【特許請求の範囲】
【請求項１】
水槽付き家具への水栓装置の取り付け方法であって、
前記水槽付き家具は、背面が建築壁と隙間を空けて対向するよう立設される立壁と、
前記立壁の前面側に設けられ水を受ける水槽と、を有するカウンターと、
前記立壁に取り付けられる水栓装置と、
を備え、
前記水栓装置は、
水を供給する給水配管と、
湯を供給する給湯配管と、
前記給水配管及び給湯配管が接続され供給される湯と水を混合する湯水混合水栓と、を有し、
前記給水配管及び給湯配管は、その少なくとも一方が耐圧ホースとされたものであって、
前記水栓装置を前記立壁に取り付ける際に用いる治具は、
前記給水配管及び給湯配管を連結する連結部と、
前記連結部に設けられ、前記給水配管及び給湯配管を前記カウンターの立壁の背面側に誘引するための引き込み部と、を有しており、
前記カウンターを前記建築壁に対し直接または間接的に取り付ける第１の工程と、
前記治具が取り付けられた前記給水配管及び給湯配管を前記立壁に形成された貫通穴に前面側から挿入する第２の工程と、
前記貫通穴から挿入され、前記連結部が取り付けられた前記給水配管及び給湯配管を前記立壁の背面側に配設するように前記カウンターの下から前記引き込み部を操作する第３の工程と、を有することを特徴とする水槽付き家具への水栓装置取り付け方法。
【請求項２】
前記連結部は、
前記立壁の背面側に配設するように前記引き込み部を操作する過程において、前記連結部が前記建築壁を損傷させることがないよう建築壁損傷防止面を有している
ことを特徴とする請求項１記載の水槽付き家具への水栓装置取り付け方法。
【請求項３】
前記連結部は、
前記連結部の前記給水配管及び給湯配管を取り付ける取り付け面の中心軸に対して前記建築壁損傷防止面が対称に形成されている
ことを特徴とする請求項２記載の水槽付き家具への水栓装置取り付け方法。
【発明の詳細な説明】
【技術分野】
【０００１】
本発明は、水槽付き家具への水栓装置の取り付け方法に関する。
【背景技術】
【０００２】
洗面化粧台等、手洗いや水汲みに使用する水を水槽で受ける水槽付き家具では、その水槽に近接して設けられる立壁に水栓装置を取り付ける構造が広く採用されている。
【０００３】
下記特許文献１には、洗面化粧台において水槽（ボール２）の奥側に立壁（壁面３）が設けられ、その立壁の背面側に給水管を配設する構造が開示されている。給水管の水槽側の端部は、立壁に形成された貫通孔（取付開口９）を挿通して前面側に引き出され、水栓本体と接続される。この水栓本体は、取付金具等を介して立壁部の前面に取り付けられる。これにより、水栓本体と給水管との接続作業と、水栓本体の立壁部への取付作業を、立壁の前面側のみで行うことができる。
【先行技術文献】
【特許文献】
【０００４】
【特許文献１】特開平９−１４４０８３号公報
【発明の開示】
【発明が解決しようとする課題】
【０００５】
洗面化粧台等の水槽付き家具は、一般的に、その背面が建築壁に当接するよう設置され
る。したがって、水槽とその奥側に立設する立壁とを有する洗面化粧台を、その背面が建
築壁に当接するように配置した場合、給水管は、洗面化粧台の立壁と建築壁との間に形成
される隙間に配設されることになる。
【０００６】
建築壁と立壁との距離を短くし、洗面化粧台をコンパクトに構成するためには、上記隙間を小さく構成することが好ましい。しかしながら、上記隙間を小さくすると、洗面化粧台の背面を建築壁に当接するよう設置した後では、その小さな隙間で給水管を取り回さなければならなくなる。したがって、特許文献１のように、給水管の端部を立壁の貫通孔から前面側に引き出す作業も大変困難なものとなる。特に、いわゆる１次圧が加わる給水管は、安全面の要求から高圧に耐え得る耐圧ホースが採用されることが多く、取り回しに十分な可撓性を確保することが難しいものである。このように可撓性に乏しい耐圧ホースの端部を貫通孔から前面側に引き出そうとすると、その作業は一層困難となる。
【０００７】
給水管の配設作業を容易にする方法として、洗面化粧台を建築壁に当接させて設置する
前に、予め洗面化粧台の立壁の背面側に給水管を配設しておくことが考えられる。洗面化
粧台を設置する前に、十分な作業スペースにおいて給水管の配設作業を行っておくためで
ある。
【０００８】
しかしながら、法規上、水道配管からの給水が可能となるよう給水管の配設作業を行えるのは、所定の資格を有する者（水道工事有資格者）に限られる。洗面化粧台の商流が水道工事有資格者を経由しない場合もあり、洗面化粧台を設置する設置業者（水道工事無資格者）と、給水管を配設する配設業者（水道工事有資格者）が異なる場合が多々ある。このような場合には、まず設置業者が洗面化粧台を現場に搬入し、一旦洗面化粧台を建築壁に当接させた上で固定する。その固定作業とは別のタイミングで、配設業者が洗面化粧台を建築壁に固定しているネジを取り外し、洗面化粧台を建築壁から引き離した上で給水管の配設作業を行い、その後、洗面化粧台を建築壁に当接させて再固定しなければならない。
【０００９】
上記のような煩雑な作業を回避するために、先に設置業者が建築壁に当接させて設置しておいた洗面化粧台を移動させることなく、前面側から立壁部の貫通孔に給水管を挿入することで、給水管を立壁部と建築壁の間の隙間に配設する方法が考えられる。しかしながら、かかる方法では、挿入された給水管が建築壁と干渉し、建築壁を損傷してしまうというおそれがあった。つまり、上記のように給水管に耐圧ホースを採用した場合、可撓性に乏しい耐圧ホースがその端部から貫通孔に挿入されると、その端部が建築壁と強く干渉し、建築壁を削ってしまう恐れや施工できない恐れがある。
【００１０】
本発明はこのような課題に鑑みてなされたものであり、その目的は、洗面化粧台といった水槽付き家具が建築壁に固定されたままの状態であっても、建築壁を損傷させることなく、容易に水栓装置を取り付けることができる水槽付き家具への水栓装置の取り付け方法を提供することにある。
【課題を解決するための手段】
【００１１】
上記課題を解決するために、本発明にかかる水槽付き家具への水栓装置取り付け方法は、水槽付き家具は、背面が建築壁と隙間を空けて対向するよう立設される立壁と、立壁の前面側に設けられ水を受ける水槽と、を有するカウンターと、立壁に取り付けられる水栓装置と、を備え、水栓装置は、水を供給する給水配管と、湯を供給する給湯配管と、給水配管及び給湯配管が接続され供給される湯と水を混合する湯水混合水栓と、を有し、給水配管及び給湯配管は、その少なくとも一方が耐圧ホースとされたものであって、水栓装置を前記立壁に取り付ける際に用いる治具は、給水配管及び給湯配管を連結する連結部と、連結部に設けられ、給水配管及び給湯配管をカウンターの立壁の背面側に誘引するための引き込み部と、を有しており、カウンターを建築壁に対し直接または間接的に取り付ける第１の工程と、治具が取り付けられた給水配管及び給湯配管を立壁に形成された貫通穴に前面側から挿入する第２の工程と、貫通穴から挿入され、連結部が取り付けられた給水配管及び給湯配管を立壁の背面側に配設するようにカウンターの下から引き込み部を操作する第３の工程と、を有することを特徴とする。
【００１２】
第一の発明は、カウンターを建築壁に取り付ける第１の工程と、治具を取り付けた給水配管及び給湯配管を立壁に形成された貫通穴に前面側から挿入する第２の工程と、貫通穴から挿入された給水配管及び給湯配管を立壁の背面側に配設するように引き込み部を操作する第３の工程とを有する水栓装置取り付け方法とすることで、挿入された給水配管及び給湯配管の端部に取り付けられた治具の引き込み部を下方に操作し、誘導するように構成されている。したがって、給水配管及び給湯配管の少なくとも一方が可撓性に乏しい耐圧ホースであっても、第１乃至第３の簡易な工程によって、建築壁を損傷させることなく立壁の背面側に配設し、水栓装置を立壁の前面側から容易に取り付けることができる。
このため、水槽付き家具を設置する設置業者と、給水配管及び給湯配管を配設する配設業者が異なる場合であっても、設置業者が水槽付き家具を設置した後に、配設業者がその水槽付き家具を移動させることなく配設作業を行うことが可能となる。
【００１３】
さらに、第１乃至第３の工程では、公知の技術のように、給水配管及び給湯配管のそれぞれの端部を立壁の背面側から前面側に引き出すという困難な作業を必要としないほか、端部と湯水混合栓との接続を設置現場で行う必要もないため、水栓装置の取り付け作業が容易となる。
【００１４】
第二の発明は、立壁の背面側に配設するように引き込み部を操作する過程において、連結部が建築壁を損傷させることがないよう建築壁損傷防止面を有していることを特徴とする。連結部の端部に角が存在すると、連結部が建築壁に干渉した際に、連結部の進行を妨げ、干渉した状態で引き込み部を操作してしまうと、建築壁を損傷させる恐れがあるが、建築壁損傷防止面を設けることで、立壁の背面側に配設するように引き込み部を操作する過程において連結部が建築壁を損傷させることなく立壁の背面側に配設し、水栓装置を立壁の前面側から容易に取り付けることができる。
【００１５】
第三の発明は、連結部の給水配管及び給湯配管を取り付ける取り付け面の中心軸に対して建築壁損傷防止面が対称に形成されていることを特徴とする。連結部に対して給水配管及び給湯配管を取り付ける位置が固定されている場合は、連結位置を間違えると一度連結部を取外して再度取り付けなければならないという２度手間な作業となり、作業効率が低下してしまうという恐れがあるが、連結部の給水配管及び給湯配管を取り付ける取り付け面の中心軸に対して建築損傷防止面が対称に形成されていることで、連結部と給水配管及び給湯配管を連結する際に、給水配管及び給湯配管の連結位置を意識することなく連結することができる。したがって、連結した際に間違えることがなく、間違えて連結することで生じる場合がある建築壁への損傷を防止でき、水槽付き家具への水栓装置の取り付けを容易に行うことができる。
【発明の効果】
【００１６】
本発明によれば、建築壁を損傷させることなく、容易に水栓装置を取り付けることができる水槽付き家具への水栓装置の取り付け方法を提供することができる。
【図面の簡単な説明】
【００１７】
【図１】洗面化粧台の斜視図
【図２】第一の工程及び第二の工程を示す側面図
【図３】治具の正面図
【図４】第二の工程及び第三の工程を示す側面図
【図５】第三の工程の終了時の側面図
【図６】第三の工程の終了後の側面図
【図７】水栓装置取り付け完了を示す側面図
【発明を実施するための形態】
【００１８】
以下、添付図面を参照しながら本発明の実施の形態について説明する。理解を容易にするため、各図面において同一の構成要素に対しては可能な限り同一の符号を付し、重複する説明は省略する。
【００１９】
まず、図１を参照して、本発明に係る洗面化粧台の構成を説明する。図１は、本発明の洗面化粧台の斜視図である。
【００２０】
図１に示すように、洗面化粧台１は、洗面室床Ｆに載置されるとともに、その背面を建築壁Ｗに当接させて設置されている。洗面化粧台１は、カウンター１０と、化粧鏡ユニット２０と、キャビネット３０と、水栓装置４０を備えている。
【００２１】
カウンター１０は、その背面が建築壁Ｗに直接又は固定のための金具等やキャビネット３０を介して間接的に取り付けられており、略垂直な前面を有する立壁１１と、その立壁１１の前面側に設けられる水槽１２を有する。立壁１１と水槽１２は、樹脂材料で一体的に形成されている。水槽１２は椀状に形成され、その内部で水を受けるとともに、その水を貯留することも可能である。立壁１１の前面には水栓装置４０が取り付けられている。
【００２２】
化粧鏡ユニット２０は箱状に形成され、内部に歯ブラシ等を収納可能である。図１に示すように、化粧鏡ユニット２０は立壁１１上に配置されるとともに、背面が建築壁Ｗに対し直接又は間接的に取り付けられている。また、その前面には、使用者の姿を映す化粧鏡２１が取り付けられており、その上部には、前方に投光する照明２２を備えている。
【００２３】
キャビネット３０は、カウンター１０の下方に配置されており、左右一対の側板３１Ｌ、３１Ｒと、前面を構成する扉３２を備えている。
【００２４】
さらに、キャビネット３０は、カウンター１０の下方に配置されており、側板３１の下部の間に、それぞれを連結するように底板（図示せず）が設けられる。また、側板３１の建築壁Ｗ側の側部の間には、それぞれを連結するように後横桟３４が設けられている。これら即位他３１、扉３２、底板（図示せず）、後横桟により、キャビネット３０は内部に収納空間３５を形成する箱状を呈している。洗面化粧台１の使用者は、扉３２を開閉することで、前方から収納空間３５にアプローチし、収納や取り出しを行うことができる。さらに、一対の側板３１の間であって、後横桟３４の下方且つ前方には、後横桟３４よりも厚みが小さい背板３６が設けられており、使用者が扉３２を開けた際に、収納空間３５を介して建築壁Ｗが見えないように覆っている。
【００２５】
図２に示すように、水栓装置４０は、湯水混合栓４１と、この湯水混合栓４１に接続される給水配管４２ｃ、給湯配管４２ｈと、湯水混合栓４１にホースを介して接続される吐水部４５を備えている（図２では、給水配管４２ｃと給湯配管４２ｈは紙面垂直方向に重合しているため、手前側の給水配管４２ｃのみが表示されている）。給水配管４２ｃと給湯配管４２ｈはいずれも給水圧力に耐えることができる耐圧性の高い耐圧ホースで構成されている。
【００２６】
カウンター１０は、水栓装置４０を前面側からカウンター１０の立壁１１に取り付けるための貫通孔１４が形成されている。
【００２７】
次に、図２乃至図７を参照して、水槽付き家具への水栓装置の取り付け方法を説明する。図２は第一の工程と第二の工程を示す側面図である。
【００２８】
水栓装置４０を立壁１１に前面側から取り付けるために、給水配管４２ｃおよび給湯配管４２ｈの端部に治具５０を取り付ける。
【００２９】
図３に示すように治具５０は、給水配管４２ｃ及び給湯配管４２ｈの端部と連結するための連結部５１と、給水配管４２ｃ及び給湯配管４２ｈを立壁１１の背面側に引き込む引き込み部５２から構成される。連結部５１には、給水配管４２ｃの先端の袋ナットを締め付ける雄ネジ部と、給湯配管４２ｈの先端の袋ナットを締め付ける雄ネジ部とが並んで設けられている。引き込み部５２は、具体的には、可撓性を有する紐のようなものが好ましい。
【００３０】
連結部５１は、水栓装置４０をカウンター１０に取り付ける過程において、建築壁Ｗと干渉することで建築壁Ｗが損傷することを防止する建築壁損傷防止面５３を有している。
【００３１】
建築壁損傷防止面５３は、連結部５１の給水配管４２ｃ及び給湯配管４２ｈが取り付けられる取り付け面の中心軸Ｃに対して対称に形成されている。建築壁損傷防止面５３は建築壁Ｗと干渉した際に建築壁Ｗを損傷させないように、滑らかな曲面形状となっていることが好ましい。
【００３２】
＜第一の工程＞
図２に示すように、カウンター１０は建築壁Ｗに固定する。建築壁Ｗにカウンター１０を固定する際の具体的方法は、ネジ等を用いて直接固定することや金具等を用いて間接的に取り付けることが考えられる。
【００３３】
＜第二の工程＞
図４は第二の工程を示す側面図であり、図４に示すように、治具５０を取り付けた給水配管４２ｃ及び給湯配管４２ｈを立壁１１に形成される貫通孔１４に立壁１１の前面側から挿入する。立壁１１の貫通孔１４から挿入された治具５０の引き込み部５２は立壁１１の背面側の下方に位置することになる。
【００３４】
＜第三の工程＞
図４と図５を参照して第三の工程について説明する。図５は第三の工程の終了を表す側面図である。
図４に示すように、第二の工程が終了することで引き込み部５２は立壁１１の背面側下方に位置しており、引き込み部５２をカウンター１０の下から治具５０が建築壁Ｗと干渉しないように矢印Ａ方向に引っ張って操作することで、給水配管４２ｃ及び給湯配管４２ｈは立壁１１の背面側の下方に移動させ、図５に示すように湯水混合栓４１が貫通孔１４の位置に移動するまで、引き込み部５２を操作する。
【００３５】
このように第一から第三の工程により、建築壁Ｗを損傷させることなく、水栓装置４０の給水配管４２ｃ及び給湯配管４２ｈをカウンター１０と建築壁Ｗに配置することができる。
【００３６】
給水配管４２ｃ及び給湯配管４２ｈを立壁１１の背面側の下方に移動させた後は、図６に示すように、給水配管４２ｃ及び給湯配管４２ｈに取り付けられた治具５０を取り外す。
【００３７】
図７は水栓装置４０をカウンター１０に取り付け完了を示す側面図である。給水配管４２ｃは立壁１１の背面側の下方に設けられている止水栓３７に袋ナットを締め付けることにより取り付けられ通水可能となる。また、給湯配管４２ｈは、立壁１１の背面側の下方に配置される給湯機（図示せず）に袋ナットを締め付けることにより接続され、湯の供給を受けるように接続される。最後に、湯水混合栓４１を、立壁１１にネジ止め等によって取り付ける。
【００３８】
給水配管４２ｃ及び給湯配管４２ｈが通水可能に接続されることで、湯水混合栓４１は、給水配管４２ｃと給湯配管４２ｈから供給される湯と水を、その内部に流入させて混合する。湯水混合栓４１の前方側には、レバー状のハンドル４６が設けられている。使用者は、このハンドル４６を操作することにより、湯水混合栓４１に流入する湯と水の比率の変更と、混合した湯水の供給又は停止と、供給するその湯水の流量の変更を行うことが可能となる。
【００３９】
以上の通り、本発明の水槽付き家具への水栓装置取り付け方法で水栓装置４０を取り付けることで、建築壁Ｗを損傷させることなく、容易に立壁１１の前面側から水栓装置４０を取り付けることができる。
【符号の説明】
【００４０】
１：洗面化粧台
１０：カウンター
１２：水槽
１４：貫通孔
３０：キャビネット
３１Ｌ、３１Ｒ：側板
３２：扉
３７：止水栓
４０：水栓装置
４１：湯水混合栓
４２ｃ：給水配管
４２ｈ：給湯配管
４５：吐水部
４６：ハンドル
５０：治具
５１：連結部
５２：引き込み部
５３：建築壁損傷防止面
Ｗ：建築壁
Ｃ：中心軸
【図１】
2015063829.tif 000003
【図２】
2015063829.tif 000004
【図３】
2015063829.tif 000005
【図４】
2015063829.tif 000006
【図５】
2015063829.tif 000007
【図６】
2015063829.tif 000008
【図７】
2015063829.tif 000009